(57)【要約】【課題】本発明は、端子の取り外し作業の効率が向上されたコネクタを提供する。【解決手段】本体ハウジング１１には、ランス１５に対応する位置から突出方向の前方に開口されて端子１２とランス１５との係止を解除する解除治具１６が挿入される治具挿入孔１７が形成されており、フード部１３には、フード部１３及び本体ハウジング１１が相対的に回動したときに突出部１８が移動する経路上に、突出部１８との干渉を避ける退避部３６が、フード部１３の内外を連通して形成されている。【選択図】図８
2014032863.tif 000002
【特許請求の範囲】
【請求項１】
ランスを備えた本体ハウジングと、
前記ランスに係合されることで前記本体ハウジングに保持されると共に、前記本体ハウジングから突出する突出部を備えた端子と、
前記本体ハウジングのうち前記突出部の突出方向の前部に取り付けられて、前記突出部が内部に配されるフード部と、
前記フード部及び前記本体ハウジングを、前記突出部の突出方向と交差する方向の回動軸を中心として相対的に回動可能に支持する支持部と、を備え、
前記本体ハウジングには、前記ランスに対応する位置から前記突出方向の前方に開口されて前記端子と前記ランスとの係合を解除する解除治具が挿入される治具挿入孔が形成されており、
前記フード部には、前記フード部及び前記本体ハウジングが相対的に回動したときに前記突出部が移動する経路上に、前記突出部との干渉を避ける退避部が、前記フード部の内部と外部とを連通して形成されているコネクタ。
【請求項２】
前記本体ハウジング又は前記フード部は、前記解除治具によって前記端子と前記ランスとの係止を解除する解除作業を行う解除位置で前記本体ハウジング及び前記フード部を保持する解除位置保持部を備えた請求項１に記載のコネクタ。
【発明の詳細な説明】
【技術分野】
【０００１】
本発明は、フード部を備えたコネクタに関する。
【背景技術】
【０００２】
従来、フード部の内部に端子が配されたコネクタとして特許文献１に記載のものが知られている。このコネクタは、相手側コネクタと嵌合可能なフード部を備えたコネクタハウジングと、コネクタハウジングに形成されたランスに係止されて、フード部の内部に突出する端子と、を備える。
【先行技術文献】
【特許文献】
【０００３】
【特許文献１】特開平７−６５８９０号公報
【発明の概要】
【発明が解決しようとする課題】
【０００４】
上記の構成において、コネクタハウジングから端子を取り外す際には、まず、フード部から、端子とランスとの係止を解除するための解除治具を挿入して、この解除治具をランスに係合させる。次いで、解除治具によってランスを撓み変形させて、ランスと端子との係止を解除する。
【０００５】
しかしながら上記の構成によると、フード部の奥壁の更に奥に位置するランスに係合させるために、解除治具をフード部の内部に挿入しなければならないので、端子とランスとの係止を解除する解除作業が非常に煩わしいものとなっていた。また、不注意に解除治具をフード部内に挿入すると、解除治具と端子とが接触して、端子が変形する等の不具合が生じるおそれがあった。このため、解除作業を慎重に行う必要があるため、解除作業は一層煩わしいものとなっていた。
【０００６】
本発明は上記のような事情に基づいて完成されたものであって、端子の取り外し作業の効率が向上されたコネクタを提供することを目的とする。
【課題を解決するための手段】
【０００７】
本発明は、コネクタであって、ランスを備えた本体ハウジングと、前記ランスに係合されることで前記本体ハウジングに保持されると共に、前記本体ハウジングから突出する突出部を備えた端子と、前記本体ハウジングのうち前記突出部の突出方向の前部に取り付けられて、前記突出部が内部に配されるフード部と、前記フード部及び前記本体ハウジングを、前記突出部の突出方向と交差する方向の回動軸を中心として相対的に回動可能に支持する支持部と、を備え、前記本体ハウジングには、前記ランスに対応する位置から前記突出方向の前方に開口されて前記端子と前記ランスとの係合を解除する解除治具が挿入される治具挿入孔が形成されており、前記フード部には、前記フード部及び前記本体ハウジングが相対的に回動したときに前記突出部が移動する経路上に、前記突出部との干渉を避ける退避部が、前記フード部の内外を連通して形成されている。
【０００８】
本発明によれば、フード部及び本体ハウジングを、突出部の突出方向と交差する方向を回動軸として相対的に回動させると、端子部は退避部によってフード部と干渉することなく、フード部の外部にまで移動する。これにより、本体ハウジングの治具挿入孔はフード部の外側に露出される。この結果、治具挿入孔から容易に解除治具を挿入して、ランスと端子との係合を解除させることができるので、端子をコネクタから取り外す作業の効率を向上させることができる。
【０００９】
本発明の実施態様としては以下の態様が好ましい。前記本体ハウジング又は前記フード部は、前記解除治具によって前記端子と前記ランスとの係止を解除する解除作業を行う解除位置で前記本体ハウジング及び前記フード部を保持する解除位置保持部を備えることが好ましい。
【００１０】
上記の態様によれば、本体ハウジングが解除位置保持部に保持された状態で、端子とランスとの解除作業を行うことができる。これにより、本体ハウジングとフード部とが解除位置に保持されない場合に比べて、解除作業の効率を向上させることができる。
【発明の効果】
【００１１】
本発明によれば、端子をコネクタから取り外す作業の効率を向上させることができる。
【図面の簡単な説明】
【００１２】
【図１】図１は本発明の実施形態１に係るコネクタを示す断面図である。
【図２】図２はフード部を示す側面図である。
【図３】図３はフード部を示す平面図である。
【図４】図４は本体ハウジングをフード部に組み付ける工程を示す側面図である。
【図５】図５は本係止状態における本体ハウジングとフード部との係合状態を示す一部切欠断面図である。
【図６】図６は本体ハウジングがわずかに回動した状態を示す側断面図である。
【図７】図７は図６に示す状態における、本体ハウジングとフード部との係合状態を示す一部切欠断面図である。
【図８】図８は解除位置におけるコネクタを示す側断面図である。
【図９】図９は図８に示す状態における、本体ハウジングとフード部との係合状態を示す一部切欠断面図である。
【発明を実施するための形態】
【００１３】
＜実施形態１＞
本発明の実施形態１を、図１ないし図９を参照しつつ説明する。本発明に係るコネクタ１０は、本体ハウジング１１と、本体ハウジング１１に保持された端子１２と、本体ハウジング１１に取り付けられたフード部１３と、を備える。以下の説明においては、図１における右方を前方とし、左方を後方とする。また、図１における上方を上方とし、下方を下方とする。また、図３における上方を右方とし、下方を左方とする。
【００１４】
（本体ハウジング１１）
本体ハウジング１１は合成樹脂製であって、ブロック状をなしている。本体ハウジング１１の内部には端子１２が収容されるキャビティ１４が形成されている。キャビティ１４は上下方向について複数段（本実施形態では２段）に並んで形成されている。キャビティ１４は前後方向について本体ハウジング１１を貫通して形成されている。キャビティ１４の内部には、キャビティ１４の前端部寄りの位置に、前方に延びるランス１５が形成されている。本体ハウジング１１のうち、ランス１５の前方の位置には、ランス１５と端子１２との係合を解除する解除治具１６を挿入するための治具挿入孔１７が形成されている。換言すると、治具挿入孔１７は、本体ハウジング１１のうちランス１５に対応する位置から前方に開口して形成されている。
【００１５】
（端子１２）
キャビティ１４内には、端子１２が後方から挿入されている。端子１２は、金属板材を所定の形状にプレス加工して形成される。端子１２の前端部には細長く突出する突出部１８が形成されている。この突出部１８は本体ハウジング１１の前端部から前方（突出方向に対応）に突出している。突出部１８は金属板材が折り曲げられて細長いタブ状に形成されている。本実施形態における端子１２は、タブ状の突出部１８を有する、いわゆる雄端子とされる。
【００１６】
端子１２のうち、キャビティ１４内に収容されている部分にはランス１５と係合する係合孔１９が形成されている。この係合孔１９の孔縁にランス１５の先端が後方から当接することにより、端子１２の後方への抜け止めがなされるようになっている。
【００１７】
端子１２の下面には、下方に突出する前止まり部２０が形成されている。この前止まり部２０は、キャビティ１４の下面から上方に突出して形成された前止まり壁２１に後方から当接するようになっている。これにより、端子１２の前方への抜け止めがなされるようになっている。
【００１８】
端子１２には、電線２２の端部から露出された芯線２３に圧着されるワイヤーバレル部２４と、ワイヤーバレル部２４の後方に形成されて電線２２の絶縁被覆２５の外周に圧着されるインシュレーションバレル部２６と、が形成されている。芯線２３がワイヤーバレル部２４に圧着されることにより電線２２と端子１２とが電気的に接続されている。
【００１９】
電線２２には、インシュレーションバレル部２６に圧着された部分よりも後方の位置に、ゴム栓２７が外嵌されている。このゴム栓２７の外周面と、キャビティ１４の内周面とが密着するようになっている。本体ハウジング１１の後端部から後方には電線２２が導出されている。
【００２０】
（フード部１３）
フード部１３は合成樹脂製であって、前方に開口して形成されている。フード部１３は、本体ハウジング１１の前部に取り付けられている。換言すると、フード部１３は、本体ハウジング１１に対して、端子１２の突出部１８が突出する方向（前後方向）について前側の部分に取付けられている。フード部１３の開口内には突出部１８が配されている。フード部１３内には図示しない相手側コネクタが嵌合されるようになっている。フード部１３内に相手側コネクタが嵌合されることにより、端子１２と相手側コネクタとが電気的に接続されるようになっている。
【００２１】
図２に示すように、フード部１３には、後端部から後方に延びる延出壁２８が形成されている。延出壁２８は側方から見て略長方形状をなしている。図３に示すように、延出壁２８は、フード部１３の左右両端部から、後方に延びて形成されている。一対の延出壁２８は左右方向に拡開変形可能になっている。
【００２２】
図４及び図５に示すように、延出壁２８の内面には、本体ハウジング１１の外面に外方に突出して形成された本係止部２９と係止して、本体ハウジング１１とフード部１３とを本係止状態に保持する本係止受け部３０が、陥没して形成されている。本係止受け部３０は、延出壁２８の前端部寄りの位置に形成されている。本係止受け部３０は側方から見て略長方形状をなしている。一方、本係止部２９は本体ハウジング１１の前端部寄りの位置に形成されている。本係止部２９の後端縁が、本係止受け部３０の後端縁と前方から当接することにより、本体ハウジング１１が後方へ移動することが規制されるようになっている。本係止部２９の後端縁は上下方向に延びて形成されており、また、本係止受け部３０の後端縁も上下方向に延びて形成されている。これにより、本係止部２９の後端縁と、本係止受け部３０の後端縁とが確実に係合するようになっている。
【００２３】
（支持部）
図４及び図５に示すように、本体ハウジング１１の側壁には、前端部寄りの位置であって、本係止部２９よりも後方の位置には、外方に突出する軸部３１（支持部に相当）が形成されている。軸部３１は、本体ハウジング１１の側壁のうち、上下方向の略中央位置に形成されている。本実施形態においては、詳細には図示しないが、一対の軸部３１が、本体ハウジング１１の左右両側壁から左右方向に突出して形成されている。換言すると、軸部３１は、突出部１８の突出方向（前後方向）と交差する方向に突出している。軸部３１の断面形状は円形状をなしている。
【００２４】
一方、延出壁２８の内面には、軸部３１が収容される軸受部３２（支持部に相当）が陥没して形成されている。軸受部３２は延出壁２８の前端部寄りの位置に形成されていると共に、延出壁２８の上下方向の略中央位置に形成されている。軸受部３２は側方から見て略長方形状をなしている。軸受部３２の上下方向の高さ寸法は、軸部３１の外形寸法と同じかやや大きく設定されている。軸部３１が軸受け部内に収容された状態で、本体ハウジング１１とフード部１３とは軸部３１を回動軸として相対的に回動可能となっている。換言すると、軸部３１が軸受部３２内に保持されることにより、軸部３１を回動中心として、本体ハウジング１１とフード部１３とが相対的に回動可能に支持されている。
【００２５】
（解除位置保持部３３）
図４及び図５に示すように、本体ハウジング１１の側面には、軸部３１よりも下方の位置であって、且つ、前後方向について軸部３１と本係止部２９との間の位置に、左右方向外方に突出する解除位置保持部３３が形成されている。この解除位置保持部３３は本体ハウジング１１の両側面に形成されている。解除位置保持部３３の断面形状は円形状をなしている。解除位置保持部３３は、本体ハウジング１１がフード部１３に対して本係止位置に保持されている状態では、延出壁２８の内面に前後方向に延びて形成された凹溝３４の内部に収容されるようになっている。
【００２６】
図９に示すように、本体ハウジング１１が軸部３１を回動中心として図８における反時計回り方向に回動した状態では、解除位置保持部３３は、凹溝３４の内側面を乗り越えて、軸受部３２の内部に嵌り込むようになっている。これにより、本体ハウジング１１は、ランス１５と端子１２との係合を解除するための解除位置に保持されるようになっている。
【００２７】
また、図９に示された状態においては、本体ハウジング１１に形成された本係止部２９は、延出壁２８の内面に陥没して形成された、本係止部逃げ部３５の内部に収容されるようになっている。
【００２８】
図８に示すように、本体ハウジング１１がフード部１３に対して解除位置に保持された状態では、治具挿入孔１７は、フード部１３の上方に露出するようになっている。これにより、フード部１３の上方から解除治具１６を治具挿入孔１７に挿入することが可能になっている。このように、解除位置において、解除治具１６によって端子１２とランス１５との係合を解除する解除作業が行われる。
【００２９】
（退避部３６）
図１及び図３に示すように、フード部１３の上壁には、本体ハウジング１１とフード部１３とが相対的に回動したときに突出部１８が移動する経路上に、突出部１８との干渉を避ける退避部３６が、切り欠かれて形成されている。この退避部３６によって、フード部１３の内部と外部とが連通されている。退避部３６の開口縁部は、上方からみて略長方形状をなしている。
【００３０】
（回動動作）
図６及び図７に、本体ハウジング１１が軸部３１を回動中心として図６及び図７における反時計回り方向にわずかに回動した状態を示す。図６に示すように、退避部３６によって、突出部１８がフード部１３の上壁と干渉することが抑制されるようになっている。更に、図７に二点鎖線で示すように、下段のキャビティ１４内に保持された端子１２の突出部１８についても、退避部３６によってフード部１３の上壁と干渉することが抑制されるようになっている。
【００３１】
図７に示すように、本係止部２９は本係止受け部３０から上方へ外れて、本係止受け部３０と本係止部逃げ部３５との間の位置において、延出壁２８の内面に乗り上げた状態になっている。また、解除位置保持部３３は、凹溝３４から上方へ外れて、凹溝３４と軸受部３２との間の位置において、延出壁２８の内面に乗り上げた状態になっている。
【００３２】
図８及び図９には、本体ハウジング１１とフード部１３との相対的な回動動作が完了した状態を示す。図９に示すように、この状態においては、本係止部２９が本係止部逃げ部３５の内部に収容されており、また、解除位置保持部３３が軸受部３２の内部に収容されている。これにより、本体ハウジング１１とフード部１３とが、解除位置に保持されるようになっている。
【００３３】
（本実施形態の作用、効果）
続いて、本実施形態の作用、効果について説明する。まず、本実施形態に係るコネクタ１０の組み付け工程の一例を示す。なお、コネクタ１０の組み付け工程は以下の説明に限定されない。
【００３４】
電線２２の端部に端子１２を圧着する。続いて端子１２を、本体ハウジング１１のキャビティ１４の内部に、後方（矢線Ａで示す方向）から挿入する。すると、ランス１５が端子１２の上壁に押圧された弾性変形し、その後、復帰変形して端子１２の係合孔１９に後方から係合する。これにより、端子１２が後方へ抜け止めされる。また、端子１２の前止まり部２０が本体ハウジング１１の前止まり壁２１部に後方から当接する。これにより端子１２が前方へ抜け止めされる。
【００３５】
続いて、図４に示すように、フード部１３に対して後方から本体ハウジング１１を組み付ける。一対の延出壁２８の間に本体ハウジング１１を後方から挿入すると、一対の延出壁２８は左右方向に拡開変形する。更に本体ハウジング１１を前方に押し込むと、本係止部２９が本係止受け部３０の内部に嵌り込み、軸部３１が軸受部３２の内部に嵌り込む。一方、解除位置保持部３３は凹溝３４の内部に嵌り込む。これにより、本体ハウジング１１がフード部１３に対して本係止位置で保持される。この状態においては、図１に示すように、フード部１３の内部に突出部１８が配されるようになっている。このフード部１３の内部に相手側コネクタが嵌合することにより、端子１２と相手側コネクタとが電気的に接続されるようになっている。
【００３６】
次に、端子１２の取り外し作業について説明する。軸部３１を回動中心として、図６及び図７に示すように、本体ハウジング１１及びフード部１３を相対的に回動させる。本実施形態では、図７における反時計回り方向に本体ハウジング１１を回動させる。すると、本係止部２９が本係止受け部３０から上方に外れると共に、解除位置保持部３３が凹溝３４から上方に外れる。このとき、突出部１８は退避部３６によって切り欠かれた空間内を移動するので、突出部１８とフード部１３の上壁とが干渉しないようになっている。
【００３７】
更に、図８及び図９に示すように本体ハウジング１１を回動させる。すると、本係止部２９が本係止部逃げ部３５内に嵌り込むと共に、解除位置保持部３３が軸受部３２の内部に嵌り込む。これにより、本体ハウジング１１とフード部１３とが解除位置において保持される。
【００３８】
図８に示すように、本体ハウジング１１が解除位置に保持された状態においては、本体ハウジング１１の治具挿入孔１７はフード部１３の外部に露出した状態になっている。これにより、作業者は、矢線Ｂで示す方向から、治具挿入孔１７の内部に解除治具１６を容易に挿入してランス１５に当接させ、ランス１５と端子１２との係合を解除することができる。ランス１５が端子１２から離脱したら、電線２２を後方に引っ張ることにより、端子１２を本体ハウジング１１のキャビティ１４内から後方へ引き抜く。これにより、端子１２の取り外し作業が完了する。
【００３９】
以上説明したように、本実施形態によれば、フード部１３及び本体ハウジング１１を、突出部１８の突出方向と交差する方向を回動軸として相対的に回動させると、端子１２部は退避部３６によってフード部１３と干渉することなく、フード部１３の外部にまで移動する。これにより、本体ハウジング１１の治具挿入孔１７はフード部１３の外側に露出される。この結果、治具挿入孔１７から容易に解除治具１６を挿入することができる。次いで、解除治具１６をランス１５に突き当ててランス１５を撓み変形させる。これにより、ランス１５と端子１２との係合を解除させることができる。このように、本実施形態によれば、解除治具１６を容易に治具挿入孔１７内に挿入することができるので、端子１２をコネクタ１０から取り外す作業の効率を向上させることができる。
【００４０】
また、本実施形態によれば、本体ハウジング１１又はフード部１３は、解除治具１６によって端子１２とランス１５との係止を解除する解除作業を行う解除位置で本体ハウジング１１及びフード部１３を保持する解除位置保持部３３を備える。これにより、本体ハウジング１１が解除位置保持部３３に保持された状態で、端子１２とランス１５との解除作業を行うことができる。この結果、本体ハウジング１１とフード部１３とが解除位置において保持されない場合に比べて、解除作業の効率を向上させることができる。
【００４１】
＜他の実施形態＞
本発明は上記記述及び図面によって説明した実施形態に限定されるものではなく、例えば次のような実施形態も本発明の技術的範囲に含まれる。
（１）本実施形態においては、退避部３６は上方から見て略長方形状をなす構成としたが、これに限られず、突出部１８を挿通可能なスリット状に形成されていてもよく、必要に応じて任意の形状としうる。
【００４２】
（２）解除位置保持部３３は省略してもよい。
【００４３】
（３）本実施形態においては、端子１２は、突出部１８がタブ状に形成された、いわゆる雄端子とされたが、これに限られず、突出部１８が筒状に形成されてその内部に弾性舌片を有する、いわゆる雌端子としてもよい。
【００４４】
（４）本体ハウジング１１とフード部１３とが本係止位置に保持された状態において、蓋部によって退避部３６を塞ぐ構成としてもよい。
【００４５】
（５）解除位置保持部３３はフード部１３に設ける構成としてもよい。
【符号の説明】
【００４６】
１０...コネクタ
１１...本体ハウジング
１２...端子
１３...フード部
１５...ランス
１６...解除治具
１７...治具挿入孔
１８...突出部
３１...軸部（支持部）
３２...軸受部（支持部）
３３...解除位置保持部
３６...退避部
【図１】
2014032863.tif 000003
【図２】
2014032863.tif 000004
【図３】
2014032863.tif 000005
【図４】
2014032863.tif 000006
【図５】
2014032863.tif 000007
【図６】
2014032863.tif 000008
【図７】
2014032863.tif 000009
【図８】
2014032863.tif 000010
【図９】
2014032863.tif 000011